(57)【特許請求の範囲】
【請求項１】
表裏の金属板間に電気的絶縁材料の断熱材を充填した断熱パネルの左右端部に、表の金属板を折り曲げてパネル側端面を形成し、断熱パネルの厚さ方向の中間部にパネル側端面に引き続いて外側方に折り曲げて断熱パネルの表面に略平行となる縦目地片を形成し、左右に隣接する断熱パネルの対向するパネル側端面及び縦目地片にて凹入する縦目地を形成し、左右の縦目地片を導電性テープにて電気的に接続し、隣接する断熱パネルの裏の金属板を金属製の塞ぎ板にて電気的に接続し、チャンネル材に電気的絶縁材料の断熱耐火材が充填されて塞ぎ板と縦目地片間に電気的絶縁材料の断熱耐火材を充填して成ることを特徴とする電磁波シールド壁。
【発明の詳細な説明】
【０００１】
【発明の属する技術分野】
本発明は、電磁波シールド壁に関し、詳しくは、表裏の金属板間に電気的絶縁材料の断熱材を充填して左右に隣接する断熱パネル間の縦目地片部分における電磁波シールドを縦目地構造を有効に利用して簡単、確実におこなおうとする技術に係るものである。
【０００２】
【従来の技術】
近年、制御機器には他から電磁波が制御信号として入力され、誤った制御がなされるおそれがあり、このため、各制御機器には電磁波シールド手段を施しているうえに、制御機器を収納している部屋の壁にも外部から電磁波が侵入するのを阻止する電磁波シールド手段を施すものである。
【０００３】
そして、種々の制御機器を備えている病院等においては、電磁波を発信する携帯電話等の使用を禁止する傾向にあり、電磁波障害に苦慮しているのが現状である。
【０００４】
【発明が解決しようとする課題】
本発明は上記の点に鑑みてなされたものであり、その目的とするところは、表裏の金属板間に電気的絶縁材料の断熱材を充填して左右に隣接する断熱パネル間の縦目地片部分における電磁波シールドを縦目地構造を有効に利用して簡単、確実におこなえる電磁波シールド壁を提供することを目的とするものである。
【０００５】
【課題を解決するための手段】
請求項１においては、表裏の金属板１，２間に電気的絶縁材料の断熱材３を充填した断熱パネルの左右端部に、表の金属板１を折り曲げてパネル側端面４を形成し、断熱パネルの厚さ方向の中間部にパネル側端面４に引き続いて外側方に折り曲げて断熱パネルの表面に略平行となる縦目地片５を形成し、左右に隣接する断熱パネルＡ，Ａの対向するパネル側端面４，４及び縦目地片５，５にて凹入する縦目地９を形成し、左右の縦目地片５，５を導電性テープ１０にて電気的に接続し、隣接する断熱パネルＡ，Ａの裏の金属板２，２を金属製の塞ぎ板６にて電気的に接続し、チャンネル材１９に電気的絶縁材料の断熱耐火材７が充填されて塞ぎ板６と縦目地片５，５間に電気的絶縁材料の断熱耐火材７を充填して成ることを特徴とするものである。
【０００６】
このような構成によれば、隣接する断熱パネルＡ，Ａ間に構成する底目地の底部である縦目地片５，５間に導電性テープ１０を貼着することで、隣接している断熱パネルＡ，Ａの表の金属板１，１を電気的に接続するこができ、断熱パネルＡの各々をアースする構成に比べて電磁波シールド構成を簡素化するものである。この場合、導電性テープ１０を金属テープとすることで、底目地部分の水密シールを併せておこなうことができるものである。
【０００８】
また、請求項１においては、断熱パネルＡ，Ａ間の裏の金属板２，２を塞ぎ板６にて電気的に接続して断熱パネルＡの裏面側の電磁波シールドを確実におこなうことができるものである。
【００１０】
また、請求項１においては、底目地部分において電磁波シールドをおこないながら、断熱パネルＡ，Ａの左右の接続箇所における断熱性及び耐火性を確保することができる。
【００１１】
【発明の実施の形態】
以下、本発明の実施の形態を図面に基づいて説明する。
【００１２】
図１に示すように、断熱パネルＡは、表裏の金属板１，２間に電気的絶縁材料である合成樹脂発泡体の断熱材３を充填して構成したものであり、断熱パネルＡの左右端部に、表の金属板１を折り曲げてパネル側端面４を形成している。断熱パネルＡの厚さ方向の中間部にパネル側端面４に引き続いて外側方に折り曲げて断熱パネルＡの表面に略平行となる縦目地片５を形成している。
【００１３】
図６に示すように、断熱パネルＡの上端部には釘打ち部１５がパネル表面部から凹入して段落とし状に形成されるとともに上端面に嵌合凹部８が形成され、下端部には嵌合凸部１１が形成されるとともに覆い片１２が垂下されている。
【００１４】
しかして、図１に示すように、断熱パネルＡ，Ａをチャンネル状の下地１３にドリルビス１４にて取付け、左右に隣接する断熱パネルＡ，Ａのパネル側端面４，４を及び縦目地片５，５にて凹入する縦目地９を形成している。ドリルビス１４の打ち込みは釘打ち部１５においておこなわれる。
【００１５】
しかして、断熱パネルＡ，Ａの左右に対向するパネル側端面４，４及び縦目地片５，５にて凹入する縦目地９を形成するのであり、ここで、左右の縦目地片５，５の塗装を全長にわたって剥がして鋼鈑面を露出させ、この箇所において表面の金属板１，１同士を導電性テープ１０にて電気的に接続するのである。導電性テープ１０はアルミニュウム製であるが、他の材質のものでもよく、縦目地片５，５間の水密シールを図るものであってもよい。
【００１６】
このように、隣接している断熱パネルＡ，Ａの表の金属板１，１を電気的に接続することができ、断熱パネルＡの各々をアースする構成に比べて電磁波シールド構成を簡素化するものである。
【００１７】
又、図１に示すように、隣接する下地１３，１３間に金属製の塞ぎ板６を架設して隣接する断熱パネルＡ，Ａの裏の金属板２，２間の隙間を覆っていて、金属製の塞ぎ板６にて裏の金属板２，２を電気的に接続している。この場合、裏の金属板２，２の端部の塗装を剥がしてもよいが、塗装は導電性塗装であってもよい。
【００１８】
このように、断熱パネルＡ，Ａ間の裏の金属板２，２を塞ぎ板６にて電気的に接続することで、断熱パネルＡの裏面側の電磁波シールドを確実におこなえるのである。
【００１９】
ところで、塞ぎ板６と縦目地片５，５間に電気的絶縁材料の断熱耐火材７を充填していて、縦目地９を構成している底目地部分において電磁波シールドをおこないながら、断熱パネルＡ，Ａの左右の接続箇所における断熱性及び耐火性を向上させることができるのである。具体的にはチャンネル材１９に断熱耐火材７を充填してある。
【００２０】
以上のような構成の縦目地９において、図３及び図４に示すような状況で、かつ、電磁波シールド試験をおこなった結果、表１，表２及び図５に示すような結果が得られた。
【００２１】
ここで、試験概要は以下の通りである。
【００２２】
0003866861.tif 000002
試験方法
基本的にＭＩＬ−ＳＴＤ−２８５の測定法に準拠し、シールドルームＭの隔壁１６の開口部に上記測定試料の断熱パネルＡ，Ａを上述のように左右に接続した状態で設置し、送信機１７から発信される周波数と受信機１８にて受信される周波数との差に基づいて電磁波シールド効果を測定するものであり、出力周波数は０．２ＭＨｚ〜１ＧＨｚで、測定距離Ｌは０．７５ｍである。
【００２３】
【表１】
0003866861.tif 000003
【００２４】
【表２】
0003866861.tif 000004
以上のように、無対策品では、１ＭＨｚ〜１４０ＭＨｚの周波数範囲でほぼ８０ｄＢ以上の電磁波シールド効果しか認められなかった。
【００２５】
一方、対策品では、３ＭＨｚ〜３００ＭＨｚの周波数範囲で９０ｄＢ以上、２０ＭＨｚ〜２７ＭＨｚ及び５５ＭＨｚ〜２００ＭＨｚの周波数範囲では、ほぼ１１０ｄＢ以上の電磁波シールド効果が認められた。
【００２６】
ところで、断熱パネルＡ，Ａを上下に接続する際には、図６に示すように、上段の断熱パネルＡの嵌合凸部１１を、下段の断熱パネルＡの嵌合凹部８に導電パッキンＰを介して凹凸嵌合させることで、上下の断熱パネルＡ，Ａの表裏の金属板１，２を電気的に接続して、電磁波シールドをおこなっている。
【００２７】
【発明の効果】
請求項１においては、表裏の金属板間に電気的絶縁材料の断熱材を充填した断熱パネルの左右端部に、表の金属板を折り曲げてパネル側端面を形成し、断熱パネルの厚さ方向の中間部にパネル側端面に引き続いて外側方に折り曲げて断熱パネルの表面に略平行となる縦目地片を形成し、左右に隣接する断熱パネルの対向するパネル側端面及び縦目地片にて凹入する縦目地を形成し、左右の縦目地片を導電性テープにて電気的に接続し、隣接する断熱パネルの裏の金属板を金属製の塞ぎ板にて電気的に接続し、チャンネル材に電気的絶縁材料の断熱耐火材が充填されて塞ぎ板と縦目地片間に電気的絶縁材料の断熱耐火材を充填しているから、縦目地片間に導電性テープを貼着することで、隣接している断熱パネルの表の金属板を電気的に接続することができ、断熱パネルの各々をアースする構成に比べて電磁波シールド構成を簡素化することができるという利点がある。
【００２８】
また、請求項１においては、隣接する断熱パネルの裏の金属板を金属製の塞ぎ板にて電気的に接続してあるから、断熱パネル間の裏の金属板を塞ぎ板にて電気的に接続して断熱パネルの裏面側の電磁波シールドを確実におこなえるという利点がある。
【００２９】
また、請求項１においては、塞ぎ板と縦目地片間に電気的絶縁材料の断熱耐火材を充填してあるから、底目地部分において電磁波シールドをおこないながら、断熱パネルの左右の接続箇所における断熱性及び耐火性を確保することができるという利点がある。
【図面の簡単な説明】
【図１】本発明の実施の形態を示す断面図である。
【図２】同上の概略分解斜視図である。
【図３】  (ａ)は電磁波シールド試験をおこなう電磁波シールドルームの概略平面図、（ｂ）は正面図である。
【図４】  (ａ)（ｂ）は電磁波シールド試験装置の斜視図である。
【図５】電磁波シールド試験結果の特性図である。
【図６】同上の断熱パネルの上下方向の接続状態を示し、（ａ）は分解した断面図、（ｂ）は接続状態の断面図である。
【符号の説明】
１  金属板
２  金属板
３  断熱材
４  パネル側端面
５  縦目地片
６  塞ぎ板
７  断熱耐火材
９  縦目地
１０  導電性テープ
【図１】
0003866861.tif 000005
【図２】
0003866861.tif 000006
【図３】
0003866861.tif 000007
【図４】
0003866861.tif 000008
【図５】
0003866861.tif 000009
【図６】
0003866861.tif 000010